(57)【要約】【課題】光源からファイバに向けて出射した光をロスすることなく有効活用するとともに、被検者の体内におけるカテーテルの先端部の位置を適切に確認することができるカテーテル装置及びカテーテル位置確認方法を提供する。【解決手段】カテーテル装置１０は、体内に挿入されるカテーテル本体と、可視赤色光を放射するレーザーダイオード（ＬＤ）又は発光ダイオード（ＬＥＤ）を有する光源部と、光源部から放射される可視赤色光を、カテーテル本体の先端部近傍に導光するファイバと、を備える。このように、発光面積が比較的小さいＬＤやＬＥＤを光源として用いることで、細径のファイバに対しても損失なく光を導光することができる。【選択図】      図１
2016087091.tif 000002
【特許請求の範囲】
【請求項１】
体内に挿入されるべきカテーテルと、
可視赤色光を放射するレーザーダイオードを有する光源部と、
前記光源部から放射される前記可視赤色光を、前記カテーテルの先端部近傍に導光するファイバと、を備えることを特徴とするカテーテル装置。
【請求項２】
前記ファイバの外径が１２５μｍ以上２５０μｍ以下であることを特徴とする請求項１に記載のカテーテル装置。
【請求項３】
体内に挿入されるべきカテーテルと、
可視赤色光を放射する発光ダイオードを有する光源部と、
前記光源部から放射される前記可視赤色光を、前記カテーテルの先端部近傍に導光する外径１２５μｍ以上２５０μｍ以下のファイバと、を備えることを特徴とするカテーテル装置。
【請求項４】
前記カテーテルは、内部に複数のルーメンを有し、
前記ファイバは、前記複数のルーメンのうち少なくとも１つのルーメンに挿入されていることを特徴とする請求項１〜３のいずれか１項に記載のカテーテル装置。
【請求項５】
前記光源部は、６００ｎｍ以上６８０ｎｍ以下の範囲にピーク波長を有する前記可視赤色光を放射することを特徴とする請求項１〜４のいずれか１項に記載のカテーテル装置。
【請求項６】
レーザーダイオードから放射された可視赤色光をファイバに供給し、当該ファイバによって、前記可視赤色光を、体内に挿入されるべきカテーテルの先端部近傍まで導光して体内に照射することを特徴とするカテーテル位置確認方法。
【請求項７】
発光ダイオードから放射された可視赤色光を外径１２５μｍ以上２５０μｍ以下のファイバに供給し、当該ファイバによって、前記可視赤色光を、体内に挿入されるべきカテーテルの先端部近傍まで導光して体内に照射することを特徴とするカテーテル位置確認方法。
【発明の詳細な説明】
【技術分野】
【０００１】
本発明は、体内に挿入されたカテーテルの先端部の位置を確認可能なカテーテル装置及びカテーテル位置確認方法に関する。
【背景技術】
【０００２】
例えば、経口的に食物を摂取できない患者に対して栄養を投与する場合などでは、ルーメンを有する管状部材（チューブ）を含んで構成されるカテーテルを用いて、栄養剤や薬物などの液状物を患者の体外から胃内に導入する。当該カテーテルの使用に際しては、カテーテルの先端部（遠位端）が誤った位置に挿入されることを防止するために、カテーテルの先端部が体内のどの位置にあるかを確認することが重要である。
【０００３】
カテーテルの先端部の位置を確認するための管先端位置確認装置として、例えば特許文献１に記載の技術がある。この技術は、液状物を体内に供給又は体外に導出するチューブと、当該チューブ内部に配置され当該チューブの先端部に導光するファイバとを備え、チューブの先端部から体内に照射した光を体外から視認するものである。ここでは、ファイバに光を供給する発光部の光源として、瞬間光を発光する閃光放電管を用いている。
【先行技術文献】
【特許文献】
【０００４】
【特許文献１】特開２０１３−１９８６４４号公報
【発明の概要】
【発明が解決しようとする課題】
【０００５】
しかしながら、上記特許文献１に記載の技術にあっては、チューブの内部にファイバを配置する構成であるため、チューブの内径は、少なくともファイバの外径を超えるように大きく設計せざるを得ない。上記特許文献１に記載の技術では、発光部の光源として閃光放電管を使用している。閃光放電管内に形成される放電アークの大きさは数ｍｍ単位である。当該閃光放電管から出た光を導光するためには、当該放電アークの大きさに応じた比較的直径の大きなファイバを使用する必要がある。ところが、種々の事情によりチューブの外径を一定以上に大きくすることはできず、従ってファイバの外径についても所定値以下としなければならない。
【０００６】
このように、チューブ及びファイバの外径は一定値よりも大きくすることはできないという制約の下、上記特許文献１に記載のように、閃光放電管を光源として使用した場合は、次の問題があった。すなわち、閃光放電管の放電アークの大きさは上記したように数ｍｍ程度であるため、閃光放電管からファイバに向けて出射された光のうちの大半は、所定値以下の外径のファイバ内に入射することができず損失となることから、エネルギーの利用効率が低下する。特に、新生児や乳幼児を対象とした場合は、上記の問題が顕著となる。
そこで、本発明は、光源からファイバに向けて出射した光をロスすることなく有効活用するとともに、被検者の体内におけるカテーテルの先端部の位置を適切に確認することができるカテーテル装置及びカテーテル位置確認方法を提供することを課題としている。
【課題を解決するための手段】
【０００７】
上記課題を解決するために、本発明に係るカテーテル装置の一態様は、体内に挿入されるべきカテーテルと、可視赤色光を放射するレーザーダイオードを有する光源部と、前記光源部から放射される前記可視赤色光を、前記カテーテルの先端部近傍に導光するファイバと、を備える。
これにより、カテーテルを体内に挿入した際に、当該カテーテルの先端部近傍で発光する光を体外から視認することができ、カテーテルの先端位置を体外から確認することができる。このとき、カテーテルの先端位置の確認に用いる光として可視光を用いることで、例えば近赤外線を用いた場合のように暗視ゴーグル等のデバイスを用いることなく光を視認することができ、その分のコストを削減することができる。さらに、カテーテルの先端位置の確認に用いる光として肌の色と同化しない赤色光を用いることで、オペレータはカテーテルの先端位置を示す光を容易に確認することができる。
【０００８】
また、上記可視赤色光をファイバに供給する光源として、発光面の幅が数μｍ〜数百μｍと比較的小さいレーザーダイオード（ＬＤ）を用いるので、外径が比較的小さいファイバに対しても損失無く光を導光することができるため、エネルギーの利用効率が高い。しかも、ＬＤを光源に使用することにより、閃光放電管を光源に使用した場合と比べ、カテーテル装置を小型化することができ、また、光源の破裂等の不具合が生じることも少ない。
【０００９】
また、上記のカテーテル装置において、前記ファイバの外径が１２５μｍ以上２５０μｍ以下であってもよい。このような、細径のファイバに対しても光源から出射した光をロスなく導光することができる。
さらに、本発明に係るカテーテル装置の一態様は、体内に挿入されるべきカテーテルと、可視赤色光を放射する発光ダイオードを有する光源部と、前記光源部から放射される前記可視赤色光を、前記カテーテルの先端部近傍に導光する外径１２５μｍ以上２５０μｍ以下のファイバと、を備える。
【００１０】
これにより、カテーテルを体内に挿入した際に、当該カテーテルの先端部近傍で発光する光を体外から視認することができ、カテーテルの先端位置を体外から確認することができる。このとき、カテーテルの先端位置の確認に用いる光として可視光を用いることで、例えば近赤外線を用いた場合のように暗視ゴーグル等のデバイスを用いることなく光を視認することができ、その分のコストを削減することができる。さらに、カテーテルの先端位置の確認に用いる光として肌の色と同化しない赤色光を用いることで、オペレータはカテーテルの先端位置を示す光を容易に確認することができる。
【００１１】
また、上記可視赤色光をファイバに供給する光源として、発光面積が数百μｍ角と比較的小さい発光ダイオード（ＬＥＤ）を用いるので、外径が比較的小さいファイバに対しても損失無く光を導光することができる。そのため、エネルギーの利用効率が高い。しかも、ＬＥＤを光源に使用することにより、閃光放電管を光源に使用した場合と比べ、カテーテル装置を小型化することができ、また、光源の破裂等の不具合が生じることも少ない。さらに、外径２５０μｍ以下の細径のファイバに対しても、光源から出射した光をロスなく導光することができる。
また、上記のカテーテル装置において、前記カテーテルは、内部に複数のルーメンを有し、前記ファイバは、前記複数のルーメンのうち少なくとも１つのルーメンに挿入されていてもよい。
【００１２】
このように、カテーテルに形成されたルーメンにファイバを挿入するので、構造上の安定性が高い。そのため、例えば、体内への液状物の供給や体外への液状物の排出等の処置中に、ファイバが液状物の供給用（又は排出用）ルーメンを塞いでしまう等の不具合を防止し、液状物の流路を適切に確保することができる。さらに、供給用（又は排出用）ルーメンとファイバとの間に隔壁が存在するため、ファイバをカテーテルと共に体内に挿入したまま、体内への液状物の供給や体外への液状物の排出等の処置を行うことができ、当該処置中においてもカテーテルの先端位置の確認が可能となる。また、カテーテルのルーメンにファイバを挿入するという、比較的簡易な構造であるため、製造工数及び製造コストを削減することができる。
【００１３】
また、上記のカテーテル装置において、前記光源部は、６００ｎｍ以上６８０ｎｍ以下の範囲にピーク波長を有する前記可視赤色光を放射してもよい。
このように、カテーテルの先端位置確認に用いる光の波長範囲を、光の波長とヘモグロビン及び水の吸収率との関係と、光の波長と視感度との関係とを考慮し、体内の透過性に優れると共に、肉眼で視認し易い光の波長範囲に設定する。したがって、オペレータは、体外において肉眼でカテーテルの先端位置を容易且つ適切に確認することができる。
【００１４】
さらにまた、本発明に係るカテーテル位置確認方法の一態様は、レーザーダイオードから放射された可視赤色光をファイバに供給し、当該ファイバによって、前記可視赤色光を、体内に挿入されるべきカテーテルの先端部近傍まで導光して体内に照射する。
このように、発光面積が比較的小さいレーザーダイオードを光源として用いるので、光源からの光を導光するファイバとして細径のファイバに対してもロスなく導光することができる。また、適切にカテーテルの先端位置を確認することができる。
【００１５】
また、本発明に係るカテーテル位置確認方法の一態様は、発光ダイオードから放射された可視赤色光を外径１２５μｍ以上２５０μｍ以下のファイバに供給し、当該ファイバによって、前記可視赤色光を、体内に挿入されるべきカテーテルの先端部近傍まで導光して体内に照射する。
このように、発光面積が比較的小さい発光ダイオードを光源として用いるので、光源からの光を導光するファイバとして外径２５０μｍ以下という細径のファイバに対してもロスなく導光することができる。また、適切にカテーテルの先端位置を確認することができる。
【発明の効果】
【００１６】
本発明のカテーテル装置によれば、カテーテルの先端位置確認に用いる光を放射する光源として発光面積が比較的小さいレーザーダイオードや発光ダイオードを用いるので、光源からの光を導光するファイバとして細径のファイバを用いた場合でも、ロスなく光源からの光をファイバ内に導光することができる。したがって、放電アーク長の長い光源を光源に使用した場合に比べ、光の利用効率が向上する上に、カテーテル装置を小型化することができる。
また、カテーテルの先端位置確認に用いる光として可視赤色光を用いるので、オペレータは体内で発光された当該光を暗視ゴーグル等のデバイスを用いることなく直接視認することができ、装置コスト面でも有利となる。
【図面の簡単な説明】
【００１７】
【図１】本実施形態におけるカテーテル装置の構成例を示す図である。
【図２】カテーテル装置の断面構造を示す図である。
【図３】カテーテルの断面構造を示す図である。
【図４】光の波長とヘモグロビン及び水の吸収率との関係を示す図である。
【図５】明所視標準比視感度を示す図である。
【図６】合成感度曲線を示す図である。
【図７】従来のカテーテルの断面構造を示す図である。
【発明を実施するための形態】
【００１８】
以下、本発明の実施形態を図面に基づいて説明する。
図１は、本実施形態におけるカテーテル装置の構成例を示す図である。
カテーテル装置１０は、例えば、経管栄養法に用いられる滅菌済みのディスポーザブルカテーテルであり、鼻咽頭又は食道経由で胃に栄養剤や食物等の液状物を投与したり、胃から液状物を排出したりするために用いられる。
カテーテル装置１０は、患者（被検者）の体内に挿入されるべきカテーテル１１を備える。カテーテル装置１０は、図２に長手方向（図１における左右方向）に直交する方向の断面図を示すように、カテーテル１１と、ファイバ１３とを含んで構成されている。また、カテーテル１１は、カテーテル本体１２と、その基端部に接続されたコネクタ１５とを備えている。
【００１９】
カテーテル本体１２は可撓性を有する管であり、例えばポリ塩化ビニル（polyvinyl chloride：ＰＶＣ）により構成されている。カテーテル本体１２の内部には、図３に示すように、長手方向に直交する断面において隔壁１２ａによって仕切られ、長手方向に延在する２つのルーメン１２ｂ及び１２ｃが形成されている。一方のルーメン１２ｂは、液状物を体内に供給したり体外から排出したりするためのルーメンであり、他方のルーメン１２ｃにはファイバ１３が挿入可能となっている。
このカテーテル本体１２の先端部（術者側から見た遠位端）は閉塞されており、当該先端部には、その周壁において内外に貫通し、カテーテル本体１２内部のルーメン１２ｂに連通する側孔１２ｄが形成されている。
【００２０】
さらに、カテーテル１１は、カテーテル本体１２の基端部に接続されるコネクタ１５を備える。
体内に供給する液状物は、例えばコネクタ１５に形成されたコック（不図示）を介してカテーテル本体１２内のルーメン１２ｂに注入される。
ファイバ１３は、可撓性を有する長尺状の棒材からなるプラスチック製の光ファイバであり、コアとクラッドとの二重構造を有する。ファイバ１３は、その先端部１３ａに、体内に光を照射する出光部を有する。また、ファイバ１３は、カテーテル本体１２の長手方向の長さ以上の長さを有し、その長手方向に光の透過性を有する。
【００２１】
ファイバ１３は、例えばカテーテル本体１２の基端部近傍の側面から当該カテーテル本体１２内のルーメン１２ｃに挿入され、その先端部１３ａはカテーテル本体１２の先端部と同一位置に配置される。なお、ファイバ１３の先端部１３ａは、カテーテル本体１２の先端部より基端部側に配置されていても良いし、カテーテル本体１２の先端部から突出して配置されていても良い。また、ファイバ１３の先端部１３ａとは反対側の基端部には、ファイバコネクタ１７が接続されている。
【００２２】
ファイバコネクタ１７は、カテーテル本体１２と共に体内に挿入される上記ファイバ１３の基端部と、体内に挿入されずに光源側に接続されるファイバ１８の先端部とを連結可能である。
ファイバ１８は、上記のファイバ１３と同様に、可撓性を有する長尺状の棒材からなるプラスチック製、若しくはガラス製のファイバであり、コアとクラッドとの二重構造を有する。ファイバ１３は、その長手方向に光の透過性を有する。ファイバ１８の基端部は、ファイバコネクタ１９を介して光源２０に接続されている。
【００２３】
光源２０は、レーザダイオード（ＬＤ）を使用した発光装置であり、制御部２１によって発光が制御される。ここでは、光源２０として、可視赤色光を放射するＬＤを用いる。特に、光源２０は、波長６００ｎｍ以上６８０ｎｍ未満、より好ましくは波長６００ｎｍ以上６５０ｎｍ未満にピークを有する光を放射することが好ましい。
図４は、光の波長と人体に含有されるヘモグロビン及び水の吸収率との関係を示す図である。図４において、曲線Ａはヘモグロビンの吸収率、曲線Ｂは水の吸収率を示している。このように、波長６００ｎｍ以下の光はヘモグロビンによって強く吸収され、波長７００ｎｍ以上の光は水によって吸収され易くなる。すなわち、これらの領域の光は生体内における光透過性が低い。これに対し、波長６００ｎｍ〜７００ｎｍの光はヘモグロビンや水による吸収が少なく、生体を透過し易い。
【００２４】
図５は、明所視標準比視感度を示す図である。比視感度とは、人の目が明るさを感じる強さを光の波長ごとに数値化したものであり、明所視標準比視感度とは、明るい場所での標準的な比視感度である。この図５に示すように、明るい場所では、人は波長５５５ｎｍ付近の光を最も強く感じる。すなわち、波長５５５ｎｍ付近の光が最も視認しやすい光であるといえる。
図６は、図４に示すヘモグロビンと水との吸収率を示す曲線と、図５に示す視感度曲線との合成感度曲線を示す図である。この図６に示すように、合成感度の最大ピークは６５０ｎｍ付近に存在する。すなわち、波長６５０ｎｍ付近の光は、体内の透過性に優れると共に、肉眼で視認し易い光であるといえる。
【００２５】
そこで、本実施形態では、ファイバ１３に導入する光として、波長６５０ｎｍ付近の範囲である６００ｎｍ以上６８０ｎｍ未満の波長範囲にピークを有する光を採用し、光源２０からこの波長範囲の光を放射するものとする。
制御部２１は、カテーテル本体１２の体内への挿入過程において、また、液状物の注入開始時や吸引開始時等の処置開始時において、光源２０を構成するＬＤを発光させる。これにより、光源２０から放射された光はファイバ１８を経由してファイバ１３に供給され、カテーテル本体１２の先端位置近傍まで導光される。
【００２６】
このように、カテーテル装置１０は、体内にカテーテル本体１２を挿入した状態で、ファイバ１３の先端部１３ａに形成された出光部から上記光を体内に照射する。このとき、体内に照射された光は体を透過し、体外から視認することが可能である。この光は可視光であるため、オペレータは当該光を直接肉眼で視認することができる。そして、オペレータは、その光が透過している位置がカテーテル１１の先端位置、即ちカテーテル本体１２の先端位置であると容易に判断することができる。
なお、光源２０からの光は連続光であってもパルス光であってもよい。また、制御部２１は、オペレータが図示しない点灯スイッチ等を操作したことを受けてＬＤを発光させるようにしてもよい。
【００２７】
以上のように、本実施形態におけるカテーテル装置１０は、患者の体内に挿入したカテーテル本体１２の先端位置をオペレータが体外から目視により確認可能な機構を有する。すなわち、カテーテル装置１０は、体内に挿入され、液状物を体内に供給又は体外に排出するためのルーメン１２ｂを有するカテーテル本体１２と、カテーテル本体１２の先端位置まで光源２０からの光を導光するファイバ１３とを備える。そして、光源２０として、可視赤色光を放射するＬＤを用いる。
【００２８】
ＬＤは、半導体積層構造において共振器構造を有する導波層内に光を閉じ込めて発振させるため、発光面の幅は一般に数μｍ〜数百μｍである。このように、発光面積の比較的小さいＬＤを光源２０として用いることで、直径の細いファイバを用いた導光が可能となる。
具体的には、ファイバ１３の直径（クラッドの外径）は１２５μｍ以上２５０μｍ以下とすることができる。
このように、光源２０にＬＤを用いることにより、直径２５０μｍ以下のファイバ１３に導光可能となるため、光源からファイバに向けて出射した光をロスなくファイバ内に導光することができる。
特に、栄養を取ることができない新生児（集中治療室にて治療を実施する必要性のある新生児など）が患者である場合には、直径２５０μｍ以下のファイバ１３に対して光源から出射した光をロス無く入射することが可能であることは、大きなメリットである。
【００２９】
さらに、光源２０としてＬＤを使用することにより、任意の波長範囲の光（本実施形態では、波長６００ｎｍ以上６５０ｎｍ未満にピークを有する光）をピンポイントで取り出すことが可能であり、光のロスが少ない。したがって、コストの削減とエネルギー効率の向上とを実現することができる。
仮に、波長選択性を重視し、例えば、広範囲に連続的な波長を有する光を放出する閃光放電管を光源に使用した場合には、任意の波長の光を取り出すために光学フィルタ等の光学素子が必要となる。また、必要波長以外の光はフィルタ等でカットすることになるため光のロスが生じる。すなわち、光源へのエネルギー供給に対し使用する光エネルギーの割合が低いため、エネルギー効率低下といった不都合が生じる。また、閃光放電管は、瞬間的にハイパワーを供給する必要があるため、大型の電源が必要でありコストが嵩む。
【００３０】
また、閃光放電管内は、放電アークの大きさが数ｍｍ単位であるが、ファイバの外径は所定値を超えて大きくすることはできないため、当該閃光放電管から出た光の大部分がファイバ内に入射されずにロスされることになり、エネルギー利用効率が低いというデメリットがある。さらに、閃光放電管は破裂等の不具合が生じるおそれがあり、安全性に乏しい。
【００３１】
これに対して、ＬＤは、閃光放電管に比べ、発光面積が格段に小さいため細径ファイバを使用可能であり、細径ファイバに対してロス無く光を導光することができる。また、ＬＤは、閃光放電管に比べ、装置を小型化可能であるとともに、破裂等の不具合が生じないので安全性に優れている。また、大型の電源が不要であるためコスト面でも有利である。
さらに、本実施形態では、ＬＤから放射する光を可視赤色光とし、これをカテーテル本体１２の先端位置確認用の光として用いる。先端位置確認用の光を可視光とすることで、例えば近赤外線を用いた場合のように暗視ゴーグル等のデバイスを用いることなく、直接肉眼で光を確認することができる。そのため、その分のコストを削減することができる。また、先端位置確認用の光を、黄色等の肌の色と同化しない赤色光とすることで、オペレータは、患者の体内で照射され体外に漏れ出た光を容易に確認することができる。
【００３２】
また、カテーテル装置１０は、カテーテル本体１２内部に形成したルーメンにファイバ１３を挿入した構造を有する。このように、カテーテル本体１２とファイバ１３との位置が不変であるため、構造上の安定性が高い。
比較例として、図７に示すように、カテーテル１１１を構成するカテーテル本体１１２の内部にファイバ１１３を配置した構造について説明する。この場合、ファイバ１１３の外周面とカテーテル本体１１２の内周面との間の空間１１２ａを液状物の流路とすれば、ファイバ１１３をカテーテル本体１１２の内部に配置したまま液状物の供給又は排出を行う処置が可能である。
【００３３】
しかしながら、ファイバ１１３はカテーテル本体１１２の両端で固定されることになり、カテーテル本体１１２の内腔においてファイバ１１３が宙吊りされる構造となる。そのため、ファイバ１１３が垂れ下がることでカテーテル本体１１２に接触することが懸念される。カテーテル本体１１２とファイバ１１３との接触が生じると、液状物の流路の一部がファイバ１１３によって閉塞され、液状物の供給や排出に支障をきたすおそれがある。これに対して、本実施形態では、上述したように構造上の安定性を確保することができるため、液状物の供給や排出に支障をきたすことはない。
【００３４】
また、上記のような不具合を回避するために、図７に示すカテーテル１１１において、カテーテル本体１１２によって液状物の供給又は排出を行う際に、ファイバ１１３をカテーテル本体１１２から抜き取ることも考えられる。しかしながら、この場合、液状物を供給又は排出する処置を開始した後は、カテーテル本体１１２の先端位置の確認ができない。これに対して、本実施形態では、カテーテル本体１２に形成された液状物の供給又は排出を行うためルーメン１２ｂとファイバ１３との間に隔壁１２ａが存在するため、ファイバ１３をカテーテル本体１２と共に体内に挿入したまま液状物の供給又は排出の処置を行うことができ、当該処置中においてもカテーテル本体１２の先端位置の確認が可能となる。
【００３５】
さらに、本実施形態のカテーテル装置１０は、カテーテル本体１２内部に形成したルーメンにファイバ１３を挿入する構造であるため、例えば、ファイバをカテーテル本体の壁に結合したり、カテーテル本体の壁内に埋め込んだりする構成と比較して、ファイバ保持部の耐圧性を確保することができる。
例えば、ファイバをカテーテル本体の壁内に埋め込む構成でファイバ保持部の耐圧性を確保しようとした場合、単純にカテーテル本体の肉厚を全体的に厚くすることになり、カテーテル本体の外径が必要以上に大きくなってしまう。これに対して、本実施形態では、図２に示すように、カテーテル本体１２のルーメン１２ｂを偏芯して配置するため、耐圧性を確保しつつカテーテル本体１２の大径化を抑制することができる。
【００３６】
さらに、本実施形態では、カテーテル本体１２内部に独立した２つのルーメン１２ｂ，１２ｃを形成し、ルーメン１２ｃにファイバ１３を挿入するだけで、カテーテル装置１０を製造することができる。すなわち、ファイバをカテーテル本体の壁内に埋め込むなどの複雑な製造工程は必要ない。このように、本実施形態のカテーテル装置１０は、製造面でも有利である。
【００３７】
本実施形態では、光源２０としてＬＤという発光面積の小さいものを使用することで、細径のファイバ１３を使用することができるため、カテーテル本体１２の外径を大きくすることなく、安定性の高い構造を実現することができるものである。換言すると、図２に示すような安定性の高い構造を、カテーテル本体１２の外径を大きくすることなく実現するためには、光源２０としてＬＤを用い、ファイバ１３として細径のもの（直径が２５０μｍ以下のもの）を用いることが前提となる。
【００３８】
以上のように、本実施形態では、光源２０としてＬＤを使用することで、細径のファイバ１３に対しても損失なく光を導光することができ、エネルギー利用効率を高めることができる。また、細径のファイバ１３を使用可能とすることで、体内への挿入時の患者の負担軽減、オペレータの使い勝手の悪化防止（通常のカテーテルと挿入感が同等であること）、構造上の安定性が高いこと、装置コストを低減可能であること、及び光源の破裂等が起きない高い安全性、といった実用上の数々のメリットを有する。
【００３９】
（変形例）
なお、上記実施形態においては、光源２０としてレーザーダイオード（ＬＤ）を用いる場合について説明したが、これに替えて発光ダイオード（ＬＥＤ）を用いることもできる。ＬＥＤの発光面積は、光取出面の面積に依存するものであり、一般に数百μｍ角と比較的小さい。そのため、光源２０としてＬＥＤを用いた場合にも、上述したＬＤの場合と同様に、直径２５０μｍ以下という細径のファイバ１３を用いた導光が可能となる。したがって、この場合にも、挿入時における患者の負担軽減とオペレータの使い勝手（挿入感）の悪化抑制とを実現したカテーテル装置１０とすることができる。但し、ＬＤの方がＬＥＤよりも発光面積が小さいため、ロス無く導光でき好ましい。
【００４０】
また、上記実施形態においては、カテーテル本体１２のルーメン１２ｂを、液状物を供給又は排出するためのルーメンとして使用する場合について説明したが、当該ルーメン１２ｂに液状物を供給又は排出するための管を挿入するようにしてもよい。
さらに、上記実施形態においては、カテーテル本体１２に、液状物を供給又は排出するためのルーメンと、ファイバ１３が挿入されるルーメンとを１つずつ設ける場合について説明したが、当該ルーメンは３つ以上であってもよい。例えば、液状物を供給する供給管と液状物を排出する排出管とを別々に設ける場合や、ファイバ１３を複数設ける場合には、管の数やファイバ１３の数に対応したルーメンを形成するものとする。
【符号の説明】
【００４１】
１０…カテーテル装置、１１…カテーテル、１２…カテーテル本体、１２ａ…隔壁、１２ｂ，１２ｃ…ルーメン、１３…ファイバ、１３ａ…ファイバの先端部、１５…コネクタ、１７…ファイバコネクタ、１８…ファイバ、１９…ファイバコネクタ、２０…光源、２１…制御部
【図１】
2016087091.tif 000003
【図２】
2016087091.tif 000004
【図３】
2016087091.tif 000005
【図４】
2016087091.tif 000006
【図５】
2016087091.tif 000007
【図６】
2016087091.tif 000008
【図７】
2016087091.tif 000009